(57)【要約】      （修正有）【課題】天板に平行な収納姿勢をとることが可能な脚体を備えた天板付き家具において、部品点数の増加や組み立て工数の増加等がなく、天板支持部材の第１のリンクメンバと第２のリンクメンバとの間で指を挟む不具合の発生を抑制又は防止する天板付家具を提供する。【解決手段】天板２と、天板２から垂下する使用姿勢及び天板２に平行な収納姿勢Ｓをとることが可能な脚体３と、天板２及び脚体３の間に設けられ天板２を支持する天板支持部材とを備えている天板付き家具の天板支持部材が、脚体３の内面に一端部を回転可能に取り付けている第１のリンクメンバと、天板２に一端部を回転可能に取り付けているとともに他端部を第１のリンクメンバに回転可能に支持させている第２のリンクメンバとを備え、脚体３が収納姿勢Ｓをとる際に脚体２と第１のリンクメンバとの間、及び第１のリンクメンバと第２のリンクメンバとの間に指を挿入可能な隙間Ｓ１、Ｓ２を有する。【選択図】図７
2014079379.tif 000002
【特許請求の範囲】
【請求項１】
天板と、この天板から垂下する使用姿勢及び前記天板に平行な収納姿勢をとることが可能な脚体と、これら天板及び脚体の間に設けられ天板を支持する天板支持部材とを備えている天板付き家具であって、
前記天板支持部材が、前記脚体の内面に一端部を回転可能に取り付けている第１のリンクメンバと、天板に一端部を回転可能に取り付けているとともに他端部を前記第１のリンクメンバに回転可能に支持させている第２のリンクメンバとを備え、前記脚体が収納姿勢をとる際に前記脚体と前記第１のリンクメンバとの間、及び前記第１のリンクメンバと前記第２のリンクメンバとの間に指を挿入可能な隙間を有することを特徴とする天板付き家具。
【請求項２】
前記第１及び第２のリンクメンバのうち少なくとも一方が、鉛直な面を有するリンクメンバ本体と、このリンクメンバ本体の上端縁から延出し少なくとも前記脚部が収納姿勢をとる際に前記天板の下面に対向する上向き面を有する上向き面部とを有する請求項１記載の天板付き家具。
【請求項３】
前記第１及び第２のリンクメンバのうち少なくとも一方が、鉛直な面を有するリンクメンバ本体と、このリンクメンバ本体の上端縁から延出し少なくとも前記脚部が収納姿勢をとる際に前記天板の下面に対向する上向き面を有する上向き面部と、この上向き面部の先端から垂下し前記リンクメンバ本体に対向する折り返し部とを有する請求項１記載の天板付き家具。
【請求項４】
前記天板が、天板本体と、この天板本体の下面に設けた横架材とを有し、
前記第１のリンクメンバが、脚体の内面に添接する基端部と、脚体が収納姿勢をとる際に前記脚体の内面から離間しかつ該脚体の内面と平行な先端部と、これら基端部と先端部とを接続する接続部とを有するとともに、
前記第２のリンクメンバが、前記横架材の内面に添接する基端部と、脚体が収納姿勢をとる際に前記第１のリンクメンバから離間しかつ該横架材の内面と平行な先端部と、これら基端部と先端部とを接続する接続部とを有する請求項１、２又は３記載の天板付き家具。
【請求項５】
脚体が収納姿勢をとる際に前記天板支持部材の第１のリンクメンバの接続部と前記天板支持部材の第２のリンクメンバの接続部とが略平行に延びている請求項４記載の天板付き家具。
【発明の詳細な説明】
【技術分野】
【０００１】
本発明は、天板に平行な収納姿勢をとることが可能な脚体を備えた天板付き家具に関する。
【背景技術】
【０００２】
従来より、天板と、この天板から垂下する使用姿勢及び前記天板に平行な収納姿勢をとることが可能な脚体と、これら天板及び脚体の間に設けられ天板を支持する天板支持部材とを備え、脚体を前記使用姿勢とした状態で使用するとともに、非使用時には脚体を前記収納姿勢とした状態で収納することが可能な天板付き家具が広く知られている。このような天板付き家具において、使用時における天板の脚体への取付強度を確保する目的で、これら天板及び脚体の間に設けられ天板を支持する天板支持部材を設けることも広く知られている。このような天板支持部材として、例えば、前記脚体の内面に一端部を回転可能に取り付けている第１のリンクメンバと、天板に一端部を回転可能に取り付けているとともに他端部を前記第１のリンクメンバに回転可能に支持させている第２のリンクメンバとを備えているものが挙げられる（例えば、特許文献１を参照）。この天板支持部材は、脚体が前記使用姿勢にある場合には前記第１及び第２のリンクメンバがなす角が約１８０度となりこれら第１及び第２のリンクメンバが協働して天板を支持する一方、脚体が前記収納姿勢にある場合には前記第１及び第２のリンクメンバがなす角が小さくなりこれら第１及び第２のリンクメンバの大部分が重なり合う姿勢をとる。
【０００３】
ここで、前記特許文献１記載のもののような構成のものにおいては、脚体を前記使用姿勢から前記収納姿勢に変化させて収納する際に、前記天板支持部材の第１のリンクメンバの一端部と第２のリンクメンバの一端部とが接近し、これら第１のリンクメンバと第２のリンクメンバとの間で指を挟んでしまう不具合が発生しうる。この不具合の発生を防止するためには、これら第１及び第２のリンクメンバを軟質材料により構成したカバーにより被覆する方法が考えられるが、この方法を採用した場合、部品点数の増加や組み立て工数の増加等、別の不具合が発生する。
【先行技術文献】
【特許文献】
【０００４】
【特許文献１】特開平１０−７５８２５号公報
【発明の概要】
【発明が解決しようとする課題】
【０００５】
本発明は以上の点に着目し、天板に平行な収納姿勢をとることが可能な脚体を備えた天板付き家具において、部品点数の増加や組み立て工数の増加等を招くことなく、天板支持部材の第１のリンクメンバと第２のリンクメンバとの間で指を挟んでしまう不具合の発生を抑制又は防止することを目的とする。
【課題を解決するための手段】
【０００６】
以上の課題を解決すべく、本発明に係る天板付き家具は、以下に述べるような構成を有する。すなわち本発明に係る天板付き家具は、天板と、この天板から垂下する使用姿勢及び前記天板に平行な収納姿勢をとることが可能な脚体と、これら天板及び脚体の間に設けられ天板を支持する天板支持部材とを備えている天板付き家具であって、前記天板支持部材が、前記脚体の内面に一端部を回転可能に取り付けている第１のリンクメンバと、天板に一端部を回転可能に取り付けているとともに他端部を前記第１のリンクメンバに回転可能に支持させている第２のリンクメンバとを備え、前記脚体が収納姿勢をとる際に前記脚体と前記第１のリンクメンバとの間、及び前記第１のリンクメンバと前記第２のリンクメンバとの間に指を挿入可能な隙間を有する。
【０００７】
このようなものであれば、脚体を前記使用姿勢から前記収納姿勢に変化させて収納する際に天板支持部材付近に手指を配していた場合であっても、前記第１のリンクメンバと前記第２のリンクメンバとが重なり合うように移動する際に前記隙間に指を退避させることができるので、第１及び第２のリンクメンバの間に指が挟まれる不具合を抑制できる。
【０００８】
脚体を前記使用姿勢から前記収納姿勢に変化させて収納する際に天板とリンクメンバとの間に手指が配されている場合の不具合を軽減できるとともに天板支持部材全体としての強度を確保できるようにするための構成として、前記第１及び第２のリンクメンバのうち少なくとも一方が、鉛直な面を有するリンクメンバ本体と、このリンクメンバ本体の上端縁から延出し少なくとも前記脚部が収納姿勢をとる際に前記天板の下面に対向する上向き面を有する上向き面部とを有するもの、及び、前記第１及び第２のリンクメンバのうち少なくとも一方が、鉛直な面を有するリンクメンバ本体と、このリンクメンバ本体の上端縁から延出し少なくとも前記脚部が収納姿勢をとる際に前記天板の下面に対向する上向き面を有する上向き面部と、この上向き面部の先端から垂下し前記リンクメンバ本体に対向する折り返し部とを有するものが挙げられる。
【０００９】
このような天板付き家具の天板及び天板支持部材の具体的な態様の一例として、前記天板が、天板本体と、この天板本体の下面に設けた横架材とを有し、前記第１のリンクメンバが、脚体の内面に添接する基端部と、脚体が収納姿勢をとる際に前記脚体の内面から離間しかつ該脚体の内面と平行な先端部と、これら基端部と先端部とを接続する接続部とを有するとともに、前記第２のリンクメンバが、前記横架材の内面に添接する基端部と、脚体が収納姿勢をとる際に前記第１のリンクメンバから離間しかつ該横架材の内面と平行な先端部と、これら基端部と先端部とを接続する接続部とを有するものが挙げられる。
【００１０】
前記脚体が収納姿勢をとる際に、前記第１のリンクメンバと前記第２のリンクメンバとの間に形成される隙間に手指を退避させることができるようにするための構成として、前記天板支持部材の第１のリンクメンバの接続部と前記天板支持部材の第２のリンクメンバの接続部とが略平行に延びているものが挙げられる。
【発明の効果】
【００１１】
本発明によれば、天板に平行な収納姿勢をとることが可能な脚体を備えた天板付き家具において、部品点数の増加や組み立て工数の増加等を招くことなく、天板支持部材の第１のリンクメンバと第２のリンクメンバとの間で指を挟んでしまう不具合の発生を抑制又は防止することができる。
【図面の簡単な説明】
【００１２】
【図１】本発明の一実施形態に係る天板付き家具を示す斜視図。
【図２】同実施形態に係る天板付き家具を示す正面図。
【図３】同実施形態に係る天板付き家具を示す側面図。
【図４】同実施形態に係る天板付き家具を示す底面図。
【図５】同実施形態に係る天板付き家具の要部を拡大して示す平面図。
【図６】同実施形態に係る天板付き家具の脚部を収納姿勢とした状態を示す正面図。
【図７】同実施形態に係る天板付き家具の脚部を収納姿勢とした状態の要部を示す拡大平面図。
【発明を実施するための形態】
【００１３】
本発明の一実施形態を図１〜図６を参照しつつ以下に示す。
【００１４】
本実施形態に係る天板付き家具１は、図１〜図５に示すように、天板２と、この天板２から垂下する使用姿勢Ｕ及び前記天板２に平行な収納姿勢Ｓをとることが可能な脚体３と、これら天板２及び脚体３の間に設けられ天板２を支持する天板支持部材４と、この天板支持部材４に支持された棚５とを備えている。
【００１５】
前記天板２は、図１〜図４に示すように、天板本体２１と、この天板本体２１の下面に設けた横架材２２とを備えている。前記天板本体２１は、平面視細長い矩形状をなす木製板状の部材である。前記横架材２２は、前記天板本体２１の長辺方向に延びる端縁近傍の下面に対をなして設けている。この横架材２２の長手方向両端縁には脚取付ブラケット２３を溶接により固定して取り付けていて、この脚取付ブラケット２３を貫通させた脚取付軸２４により前記脚体３を回転可能に支持させている。
【００１６】
前記脚体３は、図１〜図４及び図６に示すように、前記天板２の横架材２２に脚取付軸２４を介して回転可能に取り付けられ、左右一対に設けられている。各脚体３はそれぞれ、使用姿勢Ｕにある場合に前記天板２の下面から垂下する前後一対の脚支柱３１と、この脚支柱３１の下端に取り付けられたアジャスタ３２と、前記一対の脚支柱３１の中間部同士を連結する脚補強材３３とを備えている。前記脚支柱３１は、金属製で中空の角柱状の部材であり、前述したように脚取付軸２４により天板２に回転可能に取り付けられている。この脚支柱３１は、前記天板２の下面から垂下する図２に示すような使用姿勢Ｕと前記天板２の横架材２２に添接する図６に示すような収納姿勢Ｓとを選択的にとることができる。また、この脚支柱３１の下端部には、前記アジャスタ３２を取り付けるための雌ねじ部材３１１が挿入されている。前記アジャスタ３２は、接地体と、この接地体の上面から上方に延びる雄ねじ部材とを備え、この雄ねじ部材を前記雌ねじ部材３１１の雌ねじ孔に螺合させることにより前記脚支柱３１に取り付けられる構成のものである。前記脚補強材３３は、金属製の角パイプ状の部材で、前後両端部がそれぞれ前記脚支柱３１に溶接により固着されている。そして、この脚体３の脚支柱３１の上部と前記天板２の横架材２２との間に、天板支持部材４を介在させている。
【００１７】
前記天板支持部材４は、図２〜図７に示すように、前記脚体３の内面に一端部を回転可能に取り付けている第１のリンクメンバ６と、天板２の横架材２２に一端部を回転可能に取り付けているとともに他端部を前記第１のリンクメンバ６に回転可能に支持させている第２のリンクメンバ７とを備えている。
【００１８】
前記第１のリンクメンバ６は、板金加工により全体を形成しており、図５及び図７に示すように、脚体３の内面に添接する基端部６１と、脚体３が収納姿勢Ｓをとる際に前記脚体３の内面から離間しかつ該脚体３の内面と平行な先端部６２と、これら基端部６１と先端部６２とを接続する接続部６３とを有する。詳述すれば、前記基端部６１は、第１の取付軸６４により脚体３の内面に枢着されている。前記先端部６２は、前記基端部６１と平行であり、連結軸４ａを介して前記第２のリンクメンバ７に接続されている。そして、前記接続部６３は、前記基端部６１から前記先端部６２に向かうにつれ脚体３すなわち脚支柱３１の内面を形成する平面から離間する傾斜を有する。
【００１９】
前記第２のリンクメンバ７は、板金加工により全体を形成しており、図５及び図７に示すように、鉛直な面を有するリンクメンバ本体７１と、このリンクメンバ本体７１の上端縁から延出し少なくとも前記脚部が収納姿勢Ｓをとる際に前記天板２の下面に対向する上向き面を有する上向き面部７２と、この上向き面部７２の先端から垂下し前記リンクメンバ本体７１に対向する折り返し部７３とを有し、全体として下方に開口するチャネル状をなしている。前記リンクメンバ本体７１は、天板２の下面に配した枠体の内面に添接する基端部７１１と、脚体３が収納姿勢Ｓをとる際に前記第１のリンクメンバ６から離間しかつ該脚体３の内面と平行な先端部７１２と、これら基端部７１１と先端部７１２とを接続する接続部７１３とを有する。詳述すれば、前記基端部７１１は、第２の取付軸７４により前記天板２の横架材２２の内面側に枢着されている。前記先端部７１２は、前記基端部７１１と平行に延伸しており、前記連結軸４ａを介して前記第１のリンクメンバ６に接続されている。そして、前記接続部７１３は、前記基端部７１１から前記先端部７１２に向かうにつれ脚体３すなわち脚支柱３１の内面を形成する平面から離間する傾斜を有する。前記上向き面部７２は、前記リンクメンバ本体７１の接続部７１３及び先端部７１２の上端縁から延出している。前記折り返し部７３は、それぞれ上向き面部７２の先端から垂下する第１折り返し要素７３１と第２折り返し要素７３２とを備えている。前記第１折り返し要素７３１は、前記リンクメンバ本体７１の接続部７１３及び先端部７１２のうち前記接続部６３寄りの部位に対向している。前記第２折り返し要素７３２は、前記先端部７１２の前記連結軸４ａに対応する部位に対向している。そして、この第２のリンクメンバ７は、前後に対をなして左右両側に２対設けられており、対をなす第２のリンクメンバ７間を、図３及び図４に示すように、連結材７５により連結している。
【００２０】
前記連結軸４ａは、図３〜図５及び図７に示すように、この前記第２折り返し要素７３２、前記第１のリンクメンバ６の先端部６２、及びこの第１のリンクメンバ７のリンクメンバ本体７１の先端部７１３を貫通し、これら第１及び第２のリンクメンバ６及び７を回転可能に接続している。
【００２１】
前記棚５は、図２〜図４及び図６に示すように、前記天板支持部材４に両端をそれぞれ支持させてなる前後一対の第１の横枠５１と、対をなす前記第１の横枠５１の端部同士を接続する縦枠５２と、この縦枠５２の中間部同士を接続する２本の第２の横枠５３とを備えている。前記第１の横枠５１は金属製の部材であり、両端を除く部位は丸パイプ状をなし、両端は鉛直面５１ａを有する板状をなしている。この第１の横枠５１の両端の板状部位には、前記第２のリンクメンバ７を貫通するピン５４を通過させることが可能な長孔５１ｂを設けている。
【００２２】
この天板付き家具１は、上述したように、使用時には脚体３を使用姿勢Ｕとし、アジャスタ３２を接地させた状態で使用する。その際、前記天板支持部材４の第１及び第２のリンクメンバ６、７を接続する接続軸４ａは、前記第１の取付軸６４と前記第２の取付軸７４とを結ぶ線分よりも下方に位置しており、また、第２のリンクメンバ７の上向き面部７２の下方に第１のリンクメンバ６が位置している。さらに、脚支柱３１の外側面は、脚取付ブラケット２３の内面に対向しており、これらにより脚体３がみだりに回転移動することが規制されている。
【００２３】
そして、この天板付き家具１を収納する際には、前記接続軸４ａ近傍の部位に上方に向かう作用を加えることにより脚体３を収納姿勢Ｓとなるように移動させ、脚体３が天板２の横架材２２とほぼ平行となるようにする。しかして、脚体３を収納姿勢Ｓとした状態では、前記脚体３と前記第１のリンクメンバ６との間、及び前記第１のリンクメンバ６と前記第２のリンクメンバ７との間に指を挿入可能な隙間Ｓ１、Ｓ２がそれぞれ形成されている。このとき、前記天板支持部材４の第１のリンクメンバ６の接続部６３と前記第２のリンクメンバ７の接続部７１３とが略平行に延びている。また、脚体３の移動に伴い、第２のリンクメンバ７の上向き面部７２が天板２の下面に接近する。
【００２４】
すなわち本実施形態によれば、脚体３を前記使用姿勢Ｕから前記収納姿勢Ｓに変化させて収納する際に天板支持部材４付近に手指を配していた場合であっても、前記第１のリンクメンバ６と前記第２のリンクメンバ７とが重なり合うように移動する際に前記隙間Ｓ１、Ｓ２に指を退避させることができるので、第１及び第２のリンクメンバ６、７の間に指が挟まれる不具合を抑制できる。
【００２５】
また、前記第２のリンクメンバ７が、鉛直な面を有するリンクメンバ本体７１と、このリンクメンバ本体７１の上端縁から延出し少なくとも前記脚部が収納姿勢Ｓをとる際に前記天板２の下面に対向する上向き面を有する上向き面部７２と、この上向き面部７２の先端から垂下し前記リンクメンバ本体７１に対向する折り返し部７３とを有するので、従来のものと異なり、上向き面部７２の上向き面が面的に手指に接触する。従って、手指が受ける圧が小さく、脚体３を前記使用姿勢Ｕから前記収納姿勢Ｓに変化させて収納する際に天板２と第２のリンクメンバ７との間に手指が配されている場合の不具合を軽減できる。さらに、このような構成を採用することにより、第２のリンクメンバ７は下方に開口するチャネル状をなし、第２のリンクメンバ７を第１のリンクメンバ６から離間させることによる天板支持部材４の強度低下を低減できる。換言すれば、このような構成により、天板支持部材４全体としての強度を確保できる。
【００２６】
さらに、前記天板２が、天板本体２１と、この天板本体２１の下面に設けた横架材２２とを有し、前記第１のリンクメンバ６が、脚体３の内面に添接する基端部６１と、脚体３が収納姿勢Ｓをとる際に前記脚体３の内面から離間しかつ該脚体３の内面と平行な先端部６２と、これら基端部６１と先端部６２とを接続する接続部６３とを有するとともに、前記第２のリンクメンバ７のリンクメンバ本体７１が、前記横架材２２の内面に添接する基端部７１１と、脚体３が収納姿勢Ｓをとる際に前記第１のリンクメンバ６から離間しかつ該横架材２２の内面と平行な先端部７１２と、これら基端部７１１と先端部７１２とを接続する接続部７１３とを有するので、簡単な構成により上述したような効果を奏する天板付き家具１の構成を実現できる。
【００２７】
加えて、前記脚体３が収納姿勢Ｓをとる際に、前記天板支持部材４の第１のリンクメンバ６の接続部６３と前記第２のリンクメンバ７の接続部７１３とが略平行に延びているので、前記脚体３が収納姿勢Ｓをとる際に、前記第１のリンクメンバ６と前記第２のリンクメンバ７との間に形成される隙間Ｓ１、Ｓ２に手指を退避させることができる。
【００２８】
そして、天板２の下方に、前記天板支持部材４に支持される棚５を備えているので、天板２の下方の空間を有効に利用することができる。
【００２９】
なお、本発明は以上に述べた実施形態に限らない。
【００３０】
例えば、上述した実施形態では、第２のリンクメンバが、鉛直な面を有するリンクメンバ本体と、このリンクメンバ本体の上端縁から延出し少なくとも前記脚部が収納姿勢をとる際に前記天板の下面に対向する上向き面を有する上向き面部と、この上向き面部の先端から垂下し前記リンクメンバ本体に対向する折り返し部とを有するが、折り返し部は省略してもよい。また、第２のリンクメンバでなく第１のリンクメンバがリンクメンバ本体及び上向き面部を有する、あるいはリンクメンバ本体、上向き面部及び折り返し部を有する構成を採用してもよく、さらに、第１及び第２のリンクメンバの双方がリンクメンバ本体及び上向き面部を有する、あるいはリンクメンバ本体、上向き面部及び折り返し部を有する構成を採用してもよい。
【００３１】
また、第１及び第２のリンクメンバの接続部の形状は、上述した実施形態に係るものに限らず、任意に設定してよい。
【００３２】
さらに、棚部材の形状も任意に設定してよく、棚部材を省略してももちろんよい。
【００３３】
その他、本発明の趣旨を損ねない範囲で種々に変更してよい。
【符号の説明】
【００３４】
１…天板付き家具
２…天板
３…脚体
４…天板支持部材
６…第１のリンクメンバ
７…第２のリンクメンバ
Ｕ…使用姿勢
Ｓ…収納姿勢
Ｓ１、Ｓ２…隙間
【図１】
2014079379.tif 000003
【図２】
2014079379.tif 000004
【図３】
2014079379.tif 000005
【図４】
2014079379.tif 000006
【図５】
2014079379.tif 000007
【図６】
2014079379.tif 000008
【図７】
2014079379.tif 000009